(57)【要約】      （修正有）【課題】二重床における床板を支持する床板支持体を耐摩耗性が求められるナット保持部材と強度が要求される工具嵌合部材とで構成するとともに、この二部材を簡単で確実な係合構造で一体化する。【解決手段】基礎床に置かれる接地板３にネジ棒４を起立させ、ネジ棒４に螺合させた床板支持体５によって床板６を支持する二重床の支柱１において、床板支持体５は、ネジ棒４に螺合するナット保持部材８と、ナット保持部材８と係合構造で一体化され、上面に床板支持体５を回すための工具嵌合部９が形成された工具嵌合部材９とで構成する一方、ナット保持部材８と工具嵌合部材９の双方又は一方に床板６を支持する支持面を形成したことを特徴とする二重床の支柱。【選択図】図９
2006274695.tif 000002
【特許請求の範囲】
【請求項１】
基礎床に置かれる接地板にネジ棒を起立させ、ネジ棒に螺合させた床板支持体によって床板を支持する二重床の支柱において、床板支持体は、ネジ棒に螺合するナット保持部材と、ナット保持部材と係合構造で一体化され、上面に床板支持体を回すための工具嵌合部が形成された工具嵌合部材とで構成する一方、ナット保持部材と工具嵌合部材の双方又は一方に床板を支持する支持面を形成したことを特徴とする二重床の支柱。
【請求項２】
ナット保持部材は、工具嵌合部材よりも軟質性を有する樹脂材で形成した請求項１の二重床の支柱。
【請求項３】
工具嵌合部材は、支持面から床板に形成された嵌合孔に下から突入するピンを突設し、ピンの上面に工具嵌合部を形成したものである請求項１又は２の二重床の支柱。
【請求項４】
工具嵌合部材は、支持面の上面に工具嵌合部を形成したものである請求項１又は２の二重床の支柱。
【請求項５】
ナット保持部材と工具嵌合部材との係合構造は、差込結合によるものであり、この差込結合に、差し込み方向への抜け出しを規制する係止構造を設けた請求項１〜４いずれか１項の二重床の支柱。
【請求項６】
工具嵌合部材のピンの工具嵌合部の下方に、床板を上から押える床板押え具を締め付けるためのネジ部を形成した請求項３の二重床の支柱。
【請求項７】
ナット保持部材は、ネジ棒に螺合するナットを床板支持体に対して回転不能に保持するポケットを有するとともに、ネジ棒の外周に圧接する圧接部が形成された請求項１〜６いずれか１項の二重床の支柱。
【請求項８】
ナット保持部材のポケットに臨んで外周に開口する窓を設け、ナットをこの窓からポケットに挿入するとともに、ポケットの上下に圧接部を形成した請求項７の二重床の支柱。
【請求項９】
ナット保持部材のポケットにはナットの下向面に圧接してナットの上面をポケットの天井面に下方から押し付ける突起体を形成した請求項７の二重床の支柱。
【発明の詳細な説明】
【技術分野】
【０００１】
本発明は、床板を基礎床から一定高さ浮かせて敷設し、基礎床との間に所要空間を確保する二重床において、当該床板を支持する支柱に関するものである。
【背景技術】
【０００２】
この支柱に関し、基礎床に置かれる接地板に四本のネジ棒を起立させ、個々のネジ棒に螺合させたナットを保持する各床板支持体によって集合する床板のそれぞれコーナー部を支持する四本支柱タイプのものがある（特許文献１）。このタイプのものは、集合する複数の床板の高さを個別に調整できるから、厳密で精度の高い調整を必要とする場合に適している。一方で床板は、メンテナンスやレイアウト変更に際して取り外すことがあるが、このとき、身体や物が床板支持体に当たってこれを回転させ、レベルを狂わせてしまうことがある。これを防ぐには、少々のことでは床板支持体が回転しないようにする必要があり、上記の特許文献１では、床板支持体にネジ棒に圧接する圧接部を形成し、これで回り止め（緩み止め）としていた。
【０００３】
しかし、床板支持体には、床板を載せた後にその高さを微調整するために工具等が係合できなければならず、また、床板を固定するために床板押え具を床板支持体に締め込む場合もあり、これらに必要な工具嵌合部やネジ部の強度を確保するため床板支持体は硬い材質のもので構成されている。この構成では、圧接部は、ネジ棒に螺合した床板支持体を回して所定の高さに設定する間、ネジ棒に圧接した状態で接触しているため、この間にネジ棒のねじ山に削り取られて用を足さないといったことがある。先の特許文献１のものでは、床板支持体にスリ割り溝を形成してネジ棒に対して横から挿入できるようにして、床板支持体を所定の高さに設定するまでの間に要する回転量を減らすことでこの事態を回避しているが、高さを微調整するときも床板支持体は回転させられ、圧接部とネジ棒とは常に擦られる状態にあるから、高さ調整を繰り返し行うと、特許文献１のものでも、やはり摩耗して回り止め効果を低下させてしまう虞がある。
【０００４】
さらに、特許文献１のものでは、スリ割り溝が圧接部に弾性を付与して磨耗を防ぐ半面、強度低下をもたらせてナットとネジ棒との間にガタを生じさせてぐらつき易くし、その結果、床板にガタ付きを生じさせる虞がある。さらに、圧接部の押圧力を逃がして回り止め効果を幾分低下させる虞もある。
【特許文献１】特開２００４−７６５７７号公報
【発明の開示】
【発明が解決しようとする課題】
【０００５】
本発明は、このような課題を解決するものであり、床板を支持する床板支持体を、ネジ棒に螺合するナット保持部材と、床板を支持して工具を係合する工具嵌合部を有する工具嵌合部材の二部材で構成し、それぞれの部材を求められる機能に適合した材質のもので構成できるようにしたものである。
【課題を解決するための手段】
【０００６】
以上の課題の下、本発明は、請求項１に記載した、基礎床に置かれる接地板にネジ棒を起立させ、ネジ棒に螺合させた床板支持体によって床板を支持する二重床の支柱において、床板支持体は、ネジ棒に螺合するナット保持部材と、ナット保持部材と係合構造で一体化され、上面に工具嵌合部が形成された工具嵌合部材とで構成する一方、ナット保持部材と工具嵌合部材の双方又は一方に床板を支持する支持面を形成したことを特徴とする二重床の支柱を提供したものである。具体的には、ナット保持部材は、請求項２に記載した、工具嵌合部材よりも軟質性を有する樹脂材で形成した構造、工具嵌合部材は、請求項３に記載した、支持面から床板に形成された嵌合孔に下から突入するピンを突設し、ピンの上面に工具嵌合部を形成した構造、また、請求項４に記載した、支持面の上面に工具嵌合部を形成した構造を提供する。
【０００７】
さらに、本発明は、以上の支柱において、請求項５に記載した、ナット保持部材と工具嵌合部材との係合構造は、差込結合によるものであり、この差込結合に、差し込み方向への抜け出しを規制する係止構造を設けた構造、請求項６に記載した、工具嵌合部材のピンの工具嵌合部の下方に、集合した床板の各コーナーを上から押える床板押え具を締め付けるためのネジ部を形成した構造、請求項７に記載した、ナット保持部材は、ネジ棒に螺合するナットを床板支持体に対して回転不能に保持するポケットを有するとともに、ネジ棒の外周に圧接する圧接部が形成された構造、請求項８に記載した、ナット保持部材のポケットに臨んで外周に開口する窓を設け、ナットをこの窓からポケットに挿入するとともに、ポケットの上下に圧接部を形成した構造、請求項９に記載した、ナット保持部材のポケットにはナットの下向面に圧接してナットの上面をポケット部の天井面に下方から押し付ける突起体を形成した構造を提供したものである。
【発明の効果】
【０００８】
請求項１から４の手段によれば、床板支持体は、圧接部やポケットが形成されるナット保持部材と、工具が係合できる工具嵌合部等が形成される工具嵌合部材との少なくとも二部材で構成されるものであるから、ナット保持部材は軟質の難摩耗性材、工具嵌合部材は硬質の高強度材といったようにそれぞれを求められる機能に適した材質のもので構成できる。この場合、ナット保持部材と工具嵌合部材とは、係合構造で一体化されるものであるから、一体化操作が簡単で迅速である。
【０００９】
このとき、請求項５の手段によれば、一度差し込むと、差し込み方向への抜け出しを規制する係止構造により抜け出すことはない。また、請求項６の手段によれば、工具嵌合部材は、強度を有するものであるから、同じく強度を有する雌ネジや雄ネジを設けたネジ部も形成でき、床板押え具の締め付けがこの部材で可能になる。そして、請求項７の手段によれば、床板にかかる荷重をナットが強固に支持する他、圧接部が床板支持体の回転を防止する。さらに、請求項８の手段によれば、ポケットへのナットの取り込みが簡単になる一方、ネジ棒に対するナットのガタ付きが確実に防止され、ネジ棒に対する回り止め効果が安定して得られる。そして、請求項９の手段によれば、ポケット内の突起体によってナットはポケットの天井面に圧接された状態で収納され、上下方向の遊びがなくなるとともに、ナットの回転方向のガタツキも防止される。また、ナットの上面をポケットの天井面に押し付けるようにしたので、荷重による床板（床板支持体）の沈み込みが最小限に抑えられる。
【発明を実施するための最良の形態】
【００１０】
以下、本発明の実施の形態を図面を参照して説明する。図９は支柱と床板との関係を示す斜視図、図７は支柱で床板を支持した状態の図９中Ａ−Ａ相当断面図であるが、本例の支柱１は、基礎床２上に固定される接地板３の四隅から四本のネジ棒４を起立させ、各々のネジ棒４に床板支持体５を螺合したもので構成され、この床板支持体５で各床板６のコーナー部を個別に支持して二重床を構成している。この床板支持体５は、ネジ棒４に螺合するナット７を保持するナット保持部材８と、ナット保持部材８に組み付けられて床板支持体５を回転させるための工具を嵌合する工具嵌合部材９とから構成される。
【００１１】
図１はナット保持部材８の側面断面図、図２は平面図であるが、ナット保持部材８は、中心にネジ棒４を通す挿通孔１０が形成された上方が径大なカップ体をしているものである。そして、下部に、ナット７を保持するポケット１１が挿通孔１０を取り囲むように形成され、ポケット１１の上方及び下方の一定範囲の挿通孔１０の径をネジ棒４の径よりも小さくしており、これでネジ棒４の外周を圧接する圧接部１２としている。なお、この圧接部１２は、ナット保持部材８が身体や物に当たって回転するのを抑える回り止めとなるものであるが、ポケット１１の上方と下方とにバランスよく設けることで、ネジ棒４に対するナット７のガタ付きが確実に防止できる他、常に安定した回り止め効果を得ることができる。
【００１２】
もちろん、圧接部１２をポケット１１の上方又は下方のいずれか一方に設けることもできるが、床板支持体５を高さ調整して上一杯に上げた状態のときにも、圧接部１２がネジ棒４の外周を圧接するのが好ましいことから、下方に設けるのが適する。しかし、下方への高さ調整代をできるだけ大きく設定したい場合は、上方と下方の両方に設けて下方の圧接部の形成範囲をできるだけ小さく設定するのが適する。また、この圧接部１２は、ネジ棒４の径よりも小径の孔で構成するのが一般的であるが、円周方向に断続的に形成した凸部によって構成すると、適宜、床板支持体５の回転抵抗を調整することができる。
【００１３】
ナット７は、市販されている六角ナットでよく、これをポケット１１に回転不能、かつ、上下動不能に収容する。このため、ポケット１１の断面形状は六角形に形成されているが、このとき、外周に開口する窓１３をポケット１１に臨んで形成しておけば、ナット７を窓１３からポケット１１に挿入できて装着が容易である。なお、一度挿入したナット７は抜け出てはならないから、適宜な抜出防止構造（図示省略）を設けておく。
【００１４】
ポケット１１に収納されたナット７は、その上面がポケット１１の天井面１１ａに圧接されて上下動が完全に規制されるようになっている。この圧接を行うために、本発明ではポケット１１の上向面１１ｂに可撓性を有する突起体３２を形成している。図８はポケット１１に形成した突起体３２の状態を示す図７の要部拡大断面図であるが、本例の突起体３２は、ナット７の鍔７ａを支持するポケット１１の左右の上向面１１ｂに可撓性を有する凸条からなる突起体３２をナット７の挿入方向に沿って設けたもので形成している。なお、ナット保持部材８は樹脂で構成されることから、突起体３２をこれに一体成形しておけば可撓性を有するものとなる。
【００１５】
これにおいて、突起体３２の頂部と天井面１１ａとの間の高さは、該当する鍔７ａの高さよりも小さくしてあり、突起体３２の上にナット７の鍔７ａが載ると、自らが変形（圧縮又は傾倒）してナット７を天井面１１ａに圧接する。これにより、ナット７は、ポケット１１において、突起体３２と天井面１１ａとで上下に圧接され、上下の遊びが吸収される。突起体３２の変形の代表的なものは、自らが傾倒することであるが、突起体３２に接触する鍔７ａの端は自然に外方に傾斜しているから、これによって傾倒が誘発される。なお、図示は省略するが、この傾倒をより確実にするために予め傾倒させた突起体３２を形成しておくことも考えられる。また、突起体３２は、ポケット１１の内側面から水平方向に突設させたものでもよく、ナット７を上下方向に圧接できる構造であればよい。
【００１６】
このように、鍔７ａ付きのナット７を使用したときには、ナット７の底面に対向する上向面にも突起体を形成すると、より強い圧接が可能になる。一方、鍔がないナットを使用する場合（図示省略）は、ナットの端は全体が外方に傾斜していないため、第１上向面１４ａに予め傾倒させた突起体を形成しておくことになる。
【００１７】
ナット保持部材８の上面はフラットに形成されており、本例では、この面が床板６を支持する支持面８ａとなる。この支持面８ａに外周から挿通孔１０を超えた辺りまで延びる溝１４が形成されており、この溝１４は、底から上面までが一定幅ではなく、上面には一定の厚みと所定の幅で溝１４内に張り出す張出部１５を有している。以上のナット保持部材８は、成形性、重量、コスト等を考慮すると、射出成形による樹脂品が適する。樹脂品による場合、厚肉部分を取り除く（肉盗み形状とする）ために外周面から凹陥する適当な溝等を形成し、肉厚の均等化を図るのが好ましい。この樹脂としては、ネジ棒４に圧接して回転させられる（ネジ棒４に螺合するとき）圧接部１２やナット７に圧接して上下動を規制する突起体３２が直接形成されることから、軟らかくて弾力性に富む難摩耗性の、例えば、ナイロン系の樹脂が適する。
【００１８】
図３は工具嵌合部材９の側面断面図、図４は平面図であるが、本例の工具嵌合部材９は、第一台座１６の上にフラットな上面を有する第二台座１７が重ねられた形状をしており、第二台座１７の上面が床板６を支持する支持面９ａとなるもので、さらに、この本例では、支持面９ａからピン１８が突設している。そして、ピン１８の中心には、下方に、圧接部１２よりやや径の大きな孔１９が形成され、その上方には、孔径の小さな雌ネジ２０ａが形成されたネジ部２０が形成され、さらに、その上方には、六角形等をした挿入穴からなる工具嵌合部２１が形成されたものである。図７から判るように、これにおける孔１９は、床板支持体５を高さ調整して下方へ下げた際にネジ棒４の先端を収容するものであり、ネジ部２０は、床板６を押える床板押え具３０をねじ込むものであり、工具嵌合部２１は、六角レンチ等の工具２９を挿入して係合するものである。
【００１９】
この場合の第一台座１６は、ナット保持部材８の溝１４の断面と同じ形状をしたものであり、第二台座１７は、張出部１５の断面形状と同じ形状に設定されている。したがって、図５に示すように、第一台座１６と第二台座１７とは、溝１４と張出部１５の中にガタのない状態で差し込むことができ、本例では、これによって水平方向の差込結合による係合構造２２を構成している。このとき、工具嵌合部材９には、床板押え具３０のねじ込みによって上方へ引き離そうとする力が作用するが、第一台座１７の全周に亘って張出部１５が張り出して来ているため、上方へ抜け出ることはない。加えて、本例では、ナット保持部材８の支持面８ａと工具嵌合部材９の支持面９ａとを面一にしてこの二つの支持面８ａ、９ａで床板６をできるだけ広い面積で支持するようにしている。また、第二台座１７の両側面には爪２３が外方に向けて突設されており、張出部１５の両側面にも爪２４が内方に向けて突設されており、これら爪２３、２４同士で係止構造２５を構成している。
【００２０】
図５及び図６はナット保持部材８と工具嵌合部材９とを一体化する場合の斜視図であるが、このように、水平方向の差込結合からなる係合構造２２によって工具嵌合部材９をナット保持部材８に差し込むと、爪２３、２４同士が噛み合い（係止構造２５が作用し）、側方へ抜け出ることがないようになっている（もちろん、ガタもない）。この工具嵌合部材９も、ナット保持部材８と同様に樹脂品が適するが、工具嵌合部２１に挿入された工具２９の回転の圧力に耐えられる必要があること及び床板押え具３０の螺合力に耐えられる必要があることから、硬くて高強度の、例えば、ポリカーボネート系の樹脂が適する。
【００２１】
なお、以上の係合構造２２は、工具嵌合部材９をナット保持部材８に横から差し込む水平方向の差込結合であるが、上下から差し込むものであってもよい。この場合、係合構造２２によっては、これに関連する溝１４や張出部１５及び第一台座１６や第二台座１７といった部材の形状、構造が異なることがある。具体的には、ナット保持部材８の大部分の支持面８ａ或いは工具嵌合部材９の支持面９ａのみで床板６を支持することが考えられるが、工具嵌合部材９とナット保持部材８との間のガタが床板６へ伝わってしまう心配もあるので、少なくともナット７を保持するナット保持部材８には支持面８ａを直接設けておくようにする。ただし、床板押え具３０を用いて床板６を床板支持体５に止め付けるとき、工具嵌合部材９には上向きの力がかかるから、一旦、一体化した後は容易には分離できない係止構造２５は必要となる。この係止構造２５として、例えば、差し込んだ後に回動させて係止するといった構造が考えられるが、このとき、床板押え具３０の締め付けと一緒に回転してしまうことのないように、水平方向へ突出した係止爪等（図示省略）によって差し込むだけで係止する構造といったものが考えられる。
【００２２】
ところで、本発明は、床板支持体５をナット保持部材８と工具嵌合部材９との二部材で構成するものであるが、これは、単に材質を変えるだけの目的で二つに分けたものではない。上記したような複雑な形状をしているナット保持部材８と工具嵌合部材９とを一体成形するのは非常に難しいから、成形がし易い形状で、かつ、一体化が確実にできる形状のものに分けたものであり、この二つが上記した形状のナット保持部材８と工具嵌合部材９である。具体的には、下から圧接部１２、挿通孔１０、孔１９、ネジ部２０、及び工具嵌合部２１といった具合に、それぞれの機能に応じて不規則に内径が大小する場合に一体成形するのは困難であるが、本発明のように二部材で構成すれば容易となる。なお、部材数は三つ以上でもよいが、部材数が増すだけコストと組付けの手間がかかるから、部材数はできるだけ少ない方がよく、これに応えたのが本発明である。
【００２３】
次に、以上の床板支持体５によって床板６を支持する場合について図７に基づいて説明する。まず、各々のネジ棒４にナット保持部材８と工具嵌合部材９を一体化した床板支持体５を所定高さに螺合する（製造段階で予め螺合しておいてもよい）。この間、圧接部１２は、ネジ棒４に擦られるが、圧接部１２を有するナット保持部材８を難摩耗性の材質のもので構成することで、その摩耗が防がれる。次いで、接地板３を基礎床２上に墨出しして設置し、床板６のコーナー部の裏面に形成された嵌合孔２６をピン１８に差し込んで床板６を床板支持体５の上に置く。このとき、床板６と工具嵌合部材９との間の音鳴りを防ぐために、第二台座１７とナット保持部材８との上面に不織布等のリング２７を介在させるのが好ましい（図６参照）。
【００２４】
四枚の床板６を各床板支持体５で支持したとき、各床板６の高さが揃っておればよいが、もし、違う場合は、床板６の上面に嵌合穴２６と同心に形成されている調整孔２８（床板押え具３０のフランジ部を収容するためザグリ穴になっている）からレンチ等の工具２９を通して工具嵌合部２１に係合する。そして、工具２９を操作して床板支持体５を左又は右に回転させ、所定の高さにする。このときも、圧接部１２は、ネジ棒４に擦られるが、上記の材質によってその摩耗が防がれる。一方、工具嵌合部２１には、工具２９の回転圧力がかかるが、工具嵌合部２１が形成される工具嵌合部材９を高強度の材質のもので構成することにより、この圧力に耐えられるものとなる。
【００２５】
この操作の後、調整孔２８に床板押え具３０を挿入してネジ部２０にねじ込んで床板６を床板支持体５に固定する。ただし、床板６の固定が必要でない個所では、この操作を省略することがある。このときのネジ部２０にも強度が要求されるが、ネジ部２０は、高強度の工具嵌合部材９に形成されていることから、その強度に耐えられるものとなる。以上の操作を各床板６の集合個所で行えば、床板６の敷設作業は終了する。
【００２６】
図１０は本発明の他の支柱の斜視図、図１１は床板支持体の斜視図であるが、本例の支柱４１は、接地板３の隅から二本のネジ棒４を起立させ、各々のネジ棒４に床板支持体４５を螺合したもので構成されている。この支柱４１は、例えば、床板６を順次敷き詰めたときに部屋の壁３１の際に生じた隙間（ボーダー部）を埋めるために、ボーダー部の幅に合わせて床板６を切断して製作したボーダー用の床板４６を支持する場合等に用い、部屋の壁３１に沿って設置する。本例の床板支持体４５も、ナット保持部材４８と工具嵌合部材４９とで構成される点は変わらないが、この床板支持体４５が支持するのは、床板４６の切断した側の辺４６ａであるから、床板４６には、調整孔２８や嵌合孔２６は存在しない。よって、本例の工具嵌合部材４９には、上述したピン１８は設けておらず、第二台座１７の上面全体をフラットにしてナット保持部材４８の上面と面一にし、両方を支持面４８ａ、４９ａとしているとともに、第二台座１７の上面から工具嵌合部２１を貫通させて設けている。
【００２７】
同様に、床板押え具３０を螺合させることもないので、上述したネジ部２０も設けていない。また、本例では、スペース的な理由から上述したネジ棒４の先端を収容する孔１９を設けておらず、その代わりに工具嵌合部２１の六角形の対辺間距離をネジ棒４の外径寸法よりも大きく設定している。これにより、ネジ棒４の先端が工具嵌合部２１内に収容可能となり、床板支持体４５の下方への高さ調整代を最大限確保できるものになる。なお、工具嵌合部材４９とナット保持部材４８との間に設けられる係合構造２２や係止構造２５は必要であり、これらについては上記と同じである。このようにすれば、ナット保持部材４８は上述したナット保持部材８と全く同じ構造のものが兼用できて効率的である。
【図面の簡単な説明】
【００２８】
【図１】ナット保持部材の断面側面図である。
【図２】ナット保持部材の平面図である。
【図３】工具嵌合部材の断面側面図である。
【図４】工具嵌合部材の平面図である。
【図５】ナット保持部材と工具嵌合部材の一体化を示す斜視図である。
【図６】ナット保持部材と工具嵌合部材の一体化を示す斜視図である。
【図７】ネジ棒に螺合した床板支持体で床板を支持する状態を示す図９中Ａ−Ａ相当断面図である。
【図８】ポケットに形成した突起体がナットに圧接した状態を示す図７の要部拡大断面図である。
【図９】支柱と床板との関係を示す斜視図である。
【図１０】他の例の支柱と床板との関係を示す斜視図である。
【図１１】床板支持体の斜視図である。
【符号の説明】
【００２９】
１    支柱
２    基礎床
３    接地板
４    ネジ棒
５    床板支持体
６    床板
７    ナット
７ａ  鍔
８    ナット保持部材
８ａ        〃      の支持面
９    工具嵌合部材
９ａ        〃      の支持面
１０  挿通孔
１１  ポケット
１１ａ天井面
１１ｂ上向面  １２  圧接部
１３  窓
１４  溝
１５  張出部
１６  第一台座
１７  第二台座
１８  ピン
１９  孔
２０ａ雌ネジ
２０  ネジ部
２１  工具嵌合部
２２  係合構造
２３  爪
２４  爪
２５  係止構造
２６  嵌合孔
２７  リング
２８  調整孔
２９  工具
３０  床板押え具
３１  壁
３２  突起体
４１  支柱
４５  床板支持体
４６  床板
４６ａ床板の切断した側の辺
４８  ナット保持部材
４８ａ      〃      の支持面
４９  工具嵌合部材
４９ａ      〃      の支持面
【図１】
2006274695.tif 000003
【図２】
2006274695.tif 000004
【図３】
2006274695.tif 000005
【図４】
2006274695.tif 000006
【図５】
2006274695.tif 000007
【図６】
2006274695.tif 000008
【図７】
2006274695.tif 000009
【図８】
2006274695.tif 000010
【図９】
2006274695.tif 000011
【図１０】
2006274695.tif 000012
【図１１】
2006274695.tif 000013